(57)【要約】      （修正有）【課題】快速組立を実現し、はんだづけコストを省ける放熱モジュールを提供する。【解決手段】少なくとも複数の放熱フィン、支え台と、下部受け台とを含む。当該放熱フィンは内側から外側へ放射状に配列され、当該放熱フィンの内側は順に追って、収容空間と貫通孔とを形成し、収容空間の底部の周りに約９０度に折り曲げた折り畳みシートが設けられてあり、当該折り畳みシート上に取付孔を設ける。支え台は収容空間に設け、前記支え台と各取付孔の釣り合い位置にそれぞれ突起ピンを設け、突起ピンは取付孔と組み合わせる。下部受け台は貫通孔の下部に設けて、放熱フィンと固着する。これにより、前記支え台と下部受け台によって放熱フィンと密着する。【選択図】図２
0003155521.tif 000002
【実用新案登録請求の範囲】
【請求項１】
放熱モジュールであって、
複数の放熱フィンと、支え台と、下部受け台とを少なくとも含み、
複数の放熱フィンは、内側から外側へ放射状に配置され、当該放熱フィンは上から下へ順に、凹面の収容空間と貫通孔とを形成し、前記収容空間と前記貫通孔は互いに連絡し、かつ前記収容空間の底部周りに取り付けられた放熱フィンは９０度屈折状の折り畳みシートが設けられ、当該折り畳みシート上に少なくとも一つの取付孔を設け、
支え台は、前記収容空間に収容し、前記支え台と前記取付孔との相対位置に突起ピンをそれぞれ設け、
下部受け台は、前記貫通孔の下部に設け、前記下部受け台と前記支え台との向かい側に、突起ピンと呼応する取付孔を設け、
前記支え台と前記下部受け台を固着し、前記支え台によって、前記下部受け台と前記放熱フィンとを一体に結合してなることを特徴とする、
放熱モジュール。
【請求項２】
前記折り畳みシートは、前記各放熱フィンを仕切ることによって、当該放熱フィン同士に適切な距離が形成されることを特徴とする請求項１記載の放熱モジュール。
【請求項３】
前記支え台の内部に放熱体を取り付けることができ、前記放熱体は発光ダイオードであることを特徴とする請求項１記載の放熱モジュール。
【請求項４】
前記下部受け台はさらに、中空状突起ピンが延設され、前記中空状突起ピンは前記貫通孔に延ばし、かつ前記中空状突起ピンの周りと前記放熱フィンの内側にタッチすることを特徴とする請求項１記載の放熱モジュール。
【請求項５】
前記下部受け台上に延長部材が設けられ、前記延長部材は中空状突起ピンであり、かつ前記延長部材は前記中空状突起ピンに重ね合わせることを特徴とする請求項４記載の放熱モジュール。
【請求項６】
前記下部受け台に接続部材が嵌装され、前記接続部材は前記中空状突起ピン、前記延長部材および前記放熱フィンの貫通孔を経て放熱体に接触することを特徴とする請求項４記載の放熱モジュール。
【考案の詳細な説明】
【技術分野】
【０００１】
本考案は一種の放熱モジュールに係わり、特に支え台、下部受け台と放熱フィンとを密着させることによって、放熱モジュールの快速組立を実現し、熱源から発生される熱エネルギーを速やかに外部へ伝導させることを目的とする。
【背景技術】
【０００２】
コンピュータはすでに相当に普及されている装置である。そして、コンピュータ技術の迅速発展にともない、コンピュータ業者も演算速度がより高速化により、効率がより良いハードウェア装置を絶えずに追求されている。一方、これらの電子素子の稼働速度がますます高速となり、放出熱もますます高い。
【０００３】
同じく、日常生活の照明装置は省エネーブームの流れから、エネルギー消費が大きい従来式白熱灯も市場の後退に直面されている。一方、近年は緑光電製品が好景気産業となっている。よって、効率の高い、省電力消費、寿命の長い、冷光照明、反応の速い、色彩一致性の高さなど、従来の発光素子に優れているため、発光ダイオード（ＬＥＤ）の発展に重要な役割を担っている。
そのため、発光ダイオードを照明装置への応用は現代の光電産業、照明産業の発展の重点とされており、かつ従来の発熱灯に取り代わりつつある。
【０００４】
コンピュータまたは発光ダイオードを照明器具とした製品は、その寿命、機能は放熱装置のよしあしと密接に関係されている。よって、放熱も決定的なキーが握られている。
【考案の概要】
【考案が解決しようとする課題】
【０００５】
図１に示す発光ダイオードの例を参照し、一種の発光ダイオード用の放熱体１００を有し、この放熱体１００上に放熱台１１０を設け、この放熱台１１０は輪状に配列された放熱フィン１２０からなる。
【０００６】
当該放熱フィン１２０は前後に隣接して配置された放熱フィンが締結方式によって結合され、当該放熱フィン１２０は底部から頂部へ次第に広げて行き、当該放熱フィン１２０の頂点の外周部にリング１３０が嵌装されていて、このリング１３０上に複数の放熱フィン１２０と釣り合う溝孔１３１とを設け、当該溝孔１３１を嵌装によって当該放熱フィン１２０と一体に結合し、かつ当該放熱フィン１２０の頂点の内部にランプホルダー１４０を繞設し、このランプホルダー１４０の下方も開口が反対方向にあるフレーム部１５０を設け、このランプホルダー１４０とフレーム部１５０の内部はそれぞれ発光ダイオードと電子回路板（図示しない）を収容する。
【０００７】
使用時は、放熱体１００ごとに陽極処理を実施することによって、この放熱体１００を絶縁状態にした上、ランプホルダー１４０とフレーム部１５０を半田付け方式により、当該放熱フィン１２０の内輪に取り付ける
【０００８】
この種の装置と構造は使用するときに、発光ダイオードと組み合わせる電子回路板より発生する熱エネルギーを放熱体１００によって、排出するものである。
【０００９】
しかしながら、この放熱体１００は中間部にランプホルダー１４０とフレーム部１５０を収容するための凹み溝１６０が設けられている。よって、この凹み溝１６０の放熱フィン１２０の端部だけがランプホルダー１４０とフレーム部１５０に接触されることになる。このため、放熱効果が限られており、使用面は理想でない。
【００１０】
前記した公知装置、構造の欠点を改善するべく、本考案人は長い期間の鋭意研究と実験を重ねた結果、本考案の放熱モジュールを考案した。
【課題を解決するための手段】
【００１１】
快速組立を実現し、はんだづけコストを省ける放熱モジュールを提供することを本考案の一目的とする。
【００１２】
本考案によれば、少なくとも複数の放熱フィン、支え台と下部受け台とを含み、当該放熱フィンは外側に向かって放射状に配列される。
当該放熱フィンの内側は上から下へ凹面の収容空間と貫通孔を順に追って形成し、収容空間と貫通孔は互いに連絡する。収容空間底部の周りに設けられた各放熱フィンに９０度を屈折した折り畳みシートを設け、当該折り畳みシート上に少なくとも一つの取付孔を設ける。
支え台は収容空間の内部に設け、支え台と各取付孔との釣り合い位置に突起ピンを設け、突起ピンは取付孔と釣り合うように設ける。下部受け台は、貫通孔の下部に設け、下部受け台と支え台の向い側に突起ピンと釣り合う取付孔を設け、放熱フィンと固着する。
これにより、支え台と下部受け台と放熱フィンとを緊密に結合させることによって、放熱モジュールの高速組立の目的を実現し、はんだづけコストを省けることができる。
【００１３】
前記下部受け台はさらに、中空突起ピン部材が凸設され、ピン部材は貫通孔に延ばし、ピン部材の周りを放熱フィンの内側に接触させることによって、中空状突起ピン内部の熱エネルギーは、放熱フィンの密着によって、快速放熱の目的を実現可能な放熱モジュールを提供することを本考案のもう一つの目的とする。
【００１４】
前記下部受け台に接続部材が貫設されており、この接続部材は貫通孔の支え台と連結することによって、より安定させた放熱モジュールを提供することを本考案のまた一つの目的とする。
【００１５】
支え台は伝熱部材からなり、支え台は突起ピンと取付孔との組合せによって密着し、支え台の放熱体より発生する熱エネルギーを取付孔と突起ピンとの組合せで、素早く、かつ均一に放熱フィン全体に伝導し、快速放熱の目的を実現する放熱モジュールを提供することを本考案のさらに一つの目的とする。
【図面の簡単な説明】
【００１６】
【図１】先行装置の概略図である。
【図２】本考案の立体分解概略図である。
【図３】本考案の組合せ断面図である。
【図４】本発明の図３の局所断面の拡大概略図である。
【図５】本考案のもう一つの実施例の立体分解概略図である。
【図６】本考案の図５の組合せ断面図である。
【図７】本考案のさらに一つの実施例の平面図である。
【考案を実施するための形態】
【００１７】
本考案の目的、形状、構造、装置、特徴及びその効果をさらに認識と理解を図るため、以下の通り実施例と図式を合わせて、その詳細を説明する。
【実施例】
【００１８】
本考案に係る放熱モジュールは、図２、３、４に示すように、放熱体４０を熱源とする放熱モジュール１０（本実施例は、発光ダイオードである）に応用される。この放熱モジュール１０は少なくとも複数の放熱フィン２０、一つの支え台３０と、下部受け台５０とを含む。
【００１９】
そのうち、当該放熱フィン２０は内側から外側へ放射状に配列され、かつ当該放熱フィン２０の内側は上から下へ順に追って、収容空間２２と貫通孔２３とを形成し、前記収容空間２２と貫通孔２３は互いに連絡する。
収容空間２２の底部の周りに約９０度に屈折状の折り畳みシート２１が設けられている。
当該折り畳みシート２１と隣接の放熱フィン２０とを接触させる。
前記折り畳みシート２１によって、当該放熱フィン２０間に適切な間隔が形成される。
当該折り畳みシート２１上に少なくとも一つの取付孔２０１を設ける。
【００２０】
支え台３０は収容空間２２内部に設け、前記支え台３０に放熱体４０（本実施例は、図３に示す発光ダイオードのランプホルダーとする。）を取り付ける。ただし、当業者は他の放熱体を取り付けることが可能である。
さらに、前記支え台３０と各取付孔２０１との相対位置にそれぞれ突起ピン３１（本実施例はリベットである。当業者は他のスクリュー類を設けることができる）を設ける。これにより、前記支え台３０と放熱フィン２０とを一体化に結合させる（図３）。
【００２１】
下部受け台５０は貫通孔２３の下部に設け、前記下部受け台５０と支え台３０との向かい側に突起ピン３１と釣り合う取付孔５１が設けられている。これにより、支え台３０と下部受け台５０とを一体に固着させ、支え台３０と下部受け台５０によって、放熱フィン２０を一体に結合（図３に示す）させる。
前記下部受け台５０はさらに中空状突起ピン５２を延設し、中空状突起ピン５２は放熱体４０に電気供給するための電気回路部品が内設されている。中空状突起ピン５２は貫通孔２３に延ばし、かつ中空状突起ピン５２の周りは放熱フィン２０の内側にタッチさせる。前記中空状突起ピン５２内部の熱エネルギーは放熱フィン２０の密着によって、快速放熱の目的を実現する。
【００２２】
引き続き、本考案もう一つの実施例を図５、６に示しながら参照する。前記実施例と異なるところは、支え台５０上に延長部材６０が設けられている。
前記延長部材６０は中空状のピン部材であり、延長部材６０は中空状突起ピン５２上に重ね置き、前記延長部材６０の伸長長さによって、下部受け台５０を異なる高さ各種の貫通孔２３に適合でき、かつ下部受け台５０と延長部材６０との中心部が互いに連絡する。それに伴い、下部受け台５０の内部に接続部材５３が貫設されている。
本実施例はリベットを用いるが、当業者は他の方式を実施することが可能である。前記接続部材５３は中空状突起ピン５２、延長部材６０及び放熱フィン２０の貫通孔２３をくぐって放熱体４０に接触（本実施例において、支え台３０に取り付けるによって、支え台３０と下部受け台５０とを放熱フィン２０に密着させる）する。このように、支え台３０と下部受け台５０はそれぞれ放熱フィン２０とを密着させることによって、快速組み立ての目的を実現する。
【００２３】
前記下部受け台５０にくぐらせる接続部材５３は伝熱部材からなり、接続部材５３によって熱源に接触（本実施例は発光ダイオードのランプホルダー）し、その熱源が下部受け台５０に伝わって、放熱フィン２０に密着された下部受け台５０によって、熱を素早く放熱フィン２０全体に伝導される。
同じく、本実施例の支え台３０は伝熱部材であっても良い。よって、放熱体４０より発生される熱源は取付孔２０１と突起ピン３１との組み合わせによって、すばやく、かつ均一に放熱フィン全体に伝導されて、快速放熱の目的を実現できる。
【００２４】
図７に、本考案のさらに一つの実施例を示す。放熱モジュール１０はいずれの形状であっても良い。本実施例は楕円形であるが、使用者は実務の必要に応じて、変化し設計しても良い。
【００２５】
以上に説明した通り、本考案は物品の形状、構造、装置とも新規性を有し、先行技術の各種欠点が改良され、使用効果を向上でき、実用性がある。
【符号の説明】
【００２６】
１０    放熱モジュール
２０    放熱フィン
２１    折り畳みシート
２０１  取付孔
２２    収容空間
２３    貫通孔
３０    支え台
３１    突起ピン
４０    放熱体
５０    下部受け台
５１    取付孔
５２    中空状突起ピン
５３    接続部材
６０    延長部材
【図１】
0003155521.tif 000003
【図２】
0003155521.tif 000004
【図３】
0003155521.tif 000005
【図４】
0003155521.tif 000006
【図５】
0003155521.tif 000007
【図６】
0003155521.tif 000008
【図７】
0003155521.tif 000009